(57)【要約】      （修正有）【課題】ＳＮＳにおいて、スタンプの表現力を高めるために、スタンプと振動パターンとを対応付けて、スタンプと合わせてメッセージを送受信することにより、コミュニケーションツールとしての機能をより向上させることが可能な振動パターン情報伝送システムを提供する。【解決手段】振動パターン情報伝送システムは、ソーシャル・ネットワーキング・サービスのメッセージ情報とスタンプ情報を送受信する通信情報端末４を備えるシステムである。通信情報端末４は、振動モータ４７を備えており、受信したスタンプ情報に関連付けられた振動パターン情報によって振動モータ４７を駆動する制御部４２を備える。【選択図】図３
2018195068.tif 000002
【特許請求の範囲】
【請求項１】
ソーシャル・ネットワーキング・サービスのメッセージ情報とスタンプ情報を送受信する通信情報端末を備えるシステムであって、
前記通信情報端末は、振動モータを備えており、受信したスタンプ情報に関連付けられた振動パターン情報によって前記振動モータを駆動する制御部を備えることを特徴とする振動パターン情報伝送システム。
【請求項２】
前記スタンプ情報に関連付けられた振動パターン情報が格納された情報格納部を備え、
前記通信情報端末は、前記スタンプ情報の送信時に、前記情報格納部から当該スタンプ情報に関連付けられた振動パターン情報を選択して送信することを特徴とする請求項１記載の振動パターン情報伝送システム。
【請求項３】
スタンプ情報を生成するスタンプ情報生成部と、前記スタンプ情報に関連付ける振動パターン情報を生成する振動パターン情報生成部とを備え、
前記通信情報端末は、前記スタンプ情報の送信時に、前記振動パターン情報生成部が生成した振動パターン情報を送信することを特徴とする請求項１記載の振動パターン情報伝送システム。
【請求項４】
前記通信情報端末は、受信した前記スタンプ情報の画像を表示する表示部を備え、前記制御部は、前記表示部による前記スタンプ情報の画像表示に伴って、前記振動モータを駆動することを特徴とする請求項１〜３のいずれか１項記載の振動パターン情報伝送システム。
【請求項５】
前記通信情報端末は、前記表示部に表示された画像に対するタッチ入力を感知するタッチセンサを備え、前記制御部は、前記タッチセンサのタッチ入力に伴って、前記振動モータを駆動することを特徴とする請求項１〜４のいずれか１項記載の振動パターン情報伝送システム。
【請求項６】
振動モータを備える情報通信端末に、
ソーシャル・ネットワーキング・サービスのメッセージ情報とスタンプ情報を送受信する機能に加えて、受信したスタンプ情報に関連付けられた振動パターン情報によって前記振動モータを駆動させる機能を実現させるプログラム。
【請求項７】
ソーシャル・ネットワーキング・サービスのメッセージ情報とスタンプ情報を送受信する通信情報端末であって、
振動モータ、及び
受信したスタンプ情報に関連付けられた振動パターン情報によって前記振動モータを駆動する制御部を備えることを特徴とする通信情報端末。
【発明の詳細な説明】
【技術分野】
【０００１】
本発明は、振動パターン情報伝送システム、そのシステムにおいて動作するプログラムなどに関するものである。
【背景技術】
【０００２】
近年、ソーシャル・ネットワーキング・サービス（ＳＭＳ）の普及によって、ネットワークに接続された通信情報端末間で、メッセージや画像の送受信を行うことが一般になされている。例えば、ＬＩＮＥ（登録商標）やＳｋｙｐｅ（登録商標）などのインスタントメッセンジャー（ＩＭ）では、リアルタイムで端末間のメッセージを送受信可能であり、また、１対1の送受信だけでなく、複数の端末間でグループを形成し、グループ内でメッセージの送受信を行うチャットサービスなどが利用されている。
【０００３】
前述したインスタントメッセンジャーでは、送受信されたメッセージなどの情報が表示画面に時系列順に並べられて表示されるタイムラインと呼ばれる表示形式が一般に採用されている。また、メッセージと共に又はメッセージの代わりに、スタンプと呼ばれるコンテンツ（画像など）を送受信することが可能になっている（例えば、下記特許文献１参照）。
【先行技術文献】
【特許文献】
【０００４】
【特許文献１】特開２０１７−４１２７８号公報
【発明の概要】
【発明が解決しようとする課題】
【０００５】
前述したインスタントメッセンジャーなどのメッセージ送受信ツールで用いられているスタンプは、送り手の現在の感情や心境を受け手に伝えるために、コンテンツの選択がなされており、表示される画像（静止画或いは動画）の視覚的な表現や画像の表示に付随して発生する音声などによって、受け手の視覚や聴覚に刺激を与えて、様々な送り手の感情や心境を受け手に伝えることを可能にしている。
【０００６】
しかしながら、スタンプのコンテンツの視覚的な表現力やそれに加えられる音声のみでは、受け手に十分な刺激を与えられない場合があり、より高い表現力で受け手に刺激を与えることができるスタンプの送受信機能が求められている。
【０００７】
また、携帯情報端末においてインスタントメッセンジャーを利用する際に、メッセージやスタンプの着信で、携帯情報端末の振動モータを動作させることは一般に行われているが、その際の振動のパターンは画一的であり且つ単調であるため、その振動によっては、メッセージやスタンプの表現力を十分に高めることができない問題があった。
【０００８】
本発明は、このような問題に対処するために提案されたものである。すなわち、スタンプの表現力を高めることで、インスタントメッセンジャーなどのメッセージ送受信ツールのコミュニケーションツールとしての機能をより向上させること、等が本発明の課題である。
【課題を解決するための手段】
【０００９】
このような課題を解決するために、本発明は、以下の構成を具備するものである。
ソーシャル・ネットワーキング・サービスのメッセージ情報とスタンプ情報を送受信する通信情報端末を備えるシステムであって、前記通信情報端末は、振動モータを備えており、受信したスタンプ情報に関連付けられた振動パターン情報によって前記振動モータを駆動する制御部を備えることを特徴とする振動パターン情報伝送システム。
【図面の簡単な説明】
【００１０】
【図１】本発明の実施形態に係る振動パターン情報伝送システムのシステム構成を示した説明図である。
【図２】管理サーバの構成例を示した説明図である。
【図３】通信情報端末の構成例を示した説明図である。
【図４】通信情報端末の制御部の機能を示した説明図である。
【図５】情報格納部に格納されたスタンプ情報と振動パターン情報を示した説明図である（（ａ）がスタンプ情報と振動パターン情報がマップ化されて格納されている例、（ｂ）がスタンプ情報と振動パターン情報が独立して格納されている例）。
【図６】受け手の通信情報端末における振動モータ駆動部の動作例を示したフローである。
【図７】図６の動作例による動作状態を示した説明図である。
【図８】受け手の通信情報端末における振動モータ駆動部の動作例を示したフローである。
【図９】図８の動作例による動作状態を示した説明図である。
【発明を実施するための形態】
【００１１】
以下、図面を参照して本発明の実施形態を説明する。以下の説明で、異なる図における同一符号は同一機能の部位を示しており、各図における重複説明は適宜省略する。
【００１２】
図１に示すように、本発明の実施形態に係る振動パターン情報伝送システム１は、インスタントメッセンジャーなどのソーシャル・ネットワーキング・サービスのメッセージ情報とスタンプ情報を送受信するシステムを基本構成にするものであり、例えば、ネットワーク（インターネットなど）２に接続された管理サーバ３と、ネットワーク２に接続された複数の通信情報端末（スマートフォン、タブレットＰＣ、ＰＣなど）４を備えている。
【００１３】
図示の例では、インスタントメッセンジャーを管理するための管理サーバ３を備える例を示しているが、管理サーバ３を省いて、直接、複数の通信情報端末４間で情報の送受信を行うものであってもよい。以下の説明で、メッセージ情報とは、通信情報端末４間の情報送受信により、送り手と受け手の通信情報端末４にメッセージ（文字）を表示（出力）させるための情報の一部又は全部を指し、スタンプ情報とは、通信情報端末４間の情報送受信により、送り手と受け手の通信情報端末４にスタンプ（静止画像、動画像、写真、絵文字、音声などを含む）を表示（出力）させるための情報の一部又は全部を指す。
【００１４】
管理サーバ３は、図２に示すように、ネットワーク２と接続するためのインターフェースを構成する通信部３１と、管理サーバ３の各部を制御する制御部３２と、各種情報を格納する情報格納部（メモリ）３３と、各部を接続する通信バス３０を備えている。ここでの情報格納部３３には、制御部３２が実行する各種アプリケーションやプログラム、通信情報端末４から受信したメッセージ情報やスタンプ情報、インスタントメッセンジャーを管理する上でのユーザ情報（グループ管理情報）、後述する振動パターン情報などが格納されている。
【００１５】
通信情報端末４は、図３に示すように、ネットワーク２と接続するためのインターフェースを構成する通信部４１と、通信情報端末４の各部を制御する制御部４２と、各種情報を格納する情報格納部４３と、ユーザーインターフェースを構成する入力部４４と、文字や画像などを表示する表示部４５、音声を出力する音声出力部４６と、振動を発生させる振動モータ４７と、各部を接続する通信バス４０を備えている。また、図示省略しているが、通信情報端末４は、各端末の位置情報を検出する位置情報検出部や、静止画像や動画像を撮像する撮像部などを必要に応じて備えている。
【００１６】
ここで、通信部４１は、ネットワーク２と接続することで、ネットワーク２を介して管理サーバ３との間で情報の送受信を行うことを可能にしている。通信部４１は、各種情報の受信を行う受信手段と各種情報の送信を行う送信手段を有しており、受信手段は、管理サーバ３から送られる情報を受信して制御部４２に送り、送信手段は、制御部４２にて生成された情報をネットワーク２を介して管理サーバ３に送信する。
【００１７】
入力部４４は、情報通信端末４における各種指示操作を入力可能にしたものであり、操作ボタン（スイッチ）や表示部４５に取り付けられたタッチパネル、音声などの信号を取り込むマイクなどによって構成される。特に、入力部４４は、前述したタッチパネルやタッチパットを含めたタッチセンサ４４Ａを備えており、タッチセンサ４４Ａに指などを接触させることで、各種の情報入力を可能にしている。
【００１８】
制御部４２は、情報格納部４３に格納された各種アプリケーションやプログラムによって各部を動作させる機能を有しており、この機能として、メッセージ情報生成部４２Ａ、スタンプ情報生成部４２Ｂ、振動パターン情報生成部４２Ｃ、メッセージ情報表示部４２Ｄ、スタンプ情報表示部４２Ｅ、振動モータ駆動部４２Ｆなどを備えている。
【００１９】
メッセージ情報生成部４２Ａは、入力部４４への操作指示によって表示部４５に入力画面を表示させ、入力部４４への文字入力によって生成されるメッセージ情報を、通信部４１からネットワーク２を介して管理サーバ３に送信する。
【００２０】
スタンプ情報生成部４２Ｂは、管理サーバ３の情報格納部３３或いは自身の情報格納部４３に格納されているスタンプ情報の中から所望のスタンプ情報を選択して管理サーバ３に送信する。
【００２１】
振動パターン情報生成部４２Ｃは、管理サーバ３の情報格納部３３或いは自身の情報格納部４３に格納されている振動パターン情報の中から、スタンプ情報生成部４２Ｂが選択したスタンプ情報に関連付けられた振動パターン情報を選択して管理サーバ３に送信する。
【００２２】
振動パターン情報生成部４２Ｃは、図５（ａ）に示すように、スタンプ情報と振動パターン情報が１対１に関連付けられたマップを有する場合には、スタンプ情報生成部４２Ｂが選択したスタンプ情報（例えば、スタンプｎ）に対して、マップにおいて関連付けられている振動パターン情報（例えば、パターンｎ）を選択することができる。
【００２３】
これに対して、図５（ｂ）に示すように、スタンプ情報と振動パターン情報がそれぞれ独立して格納されている場合には、振動パターン情報生成部４２Ｃは、スタンプ情報生成部４２Ｂが選択したスタンプ情報に対して、所望の振動パターン情報を選択して、選択されたスタンプ情報と振動パターン情報との関連付けを行った後、選択された振動パターン情報を管理サーバ３に送信する。
【００２４】
振動パターン情報生成部４２Ｃは、ユーザが選択した振動パターン情報を振動モータ駆動部４２Ｆに送って、振動モータ４７を実際に振動させることで、送り手が選択した振動パターンを自ら体験できるようにしてもよい。
【００２５】
ここで、振動パターン情報は、振動モータ４７の駆動波形（駆動パルス）を特定する情報であり、振幅、振動周期、継続時間などの情報である。振動パターン情報の一例を示すと、振動モータ４７の駆動波形を示す数式が、Ａ（ｔ）・ｓｉｎ（ｔ／0.1）であるとすると、Ａ（ｔ）＝１とすることで、ｓｉｎ（ｔ／0.1）のサイン波で振動モータ４７が駆動され、Ａ（ｔ）＝０とすることで、振幅がゼロになって、振動モータ４７の振動が停止する。また、ｔの間隔を0.3秒間にすることで、３波長分の振動が実現できる。更には、Ａ（ｔ）を１より大きくすることで、振幅を増大させた振動を発生させることができる。
【００２６】
メッセージ情報表示部４２Ｄは、受け手の情報通信端末４において、管理サーバ３から送られてきたメッセージ情報を受信して、表示部４５に表示させる。また、スタンプ情報表示部４２Ｅは、受け手の情報通信端末４において、管理サーバ３から送られてきたスタンプ情報を受信して、表示部４５に表示させる。
【００２７】
そして、受け手の情報通信端末４における振動モータ駆動部４２Ｆは、スタンプ情報表示部４２Ｅが表示したスタンプ情報に関連付けられて送られてくる振動パターン情報を取得して、振動モータ４７を駆動する。
【００２８】
図６は、受け手の情報通信端末４における振動モータ駆動部４２Ｆの動作例を示したフローであり、図７は、この際の情報通信端末４における動作状態を示している。この例では、振動モータ駆動部４２Ｆは、管理サーバ３から送られてくるスタンプ情報の受信を確認し（ステップＳ０１：ＮＯ）、スタンプ情報の受信を確認すると（ステップＳ０１：ＹＥＳ）、そのスタンプ情報に関連付けられている振動パターン情報を取得する（ステップＳ０２）。そして、スタンプ情報表示部４２Ｅによってスタンプの表示がなされた後に（ステップＳ０３：ＹＥＳ）、取得した振動パターン情報によって振動モータ４７を駆動する（ステップＳ０４）。振動モータ４７の駆動は、振動パターン情報に含まれる継続時間だけ行われ、その継続時間が経過すると（ステップＳ０５：ＹＥＳ）、駆動を停止する。
【００２９】
この動作によると、図７に示すように、受け手の情報通信端末４の表示部４５にスタンプ情報の画像Ｓが表示されるのに伴って、それとほぼ同時に振動モータ４７が駆動され、情報通信端末４を保持するユーザの手に振動が伝えられる。
【００３０】
図８は、受け手の情報通信端末４における振動モータ駆動部４２Ｆの他の動作例を示したフローであり、図９は、この際の情報通信端末４における動作状態を示している。この例では、振動モータ駆動部４２Ｆは、管理サーバ３から送られてくるスタンプ情報の受信を確認し（ステップＳ１１：ＮＯ）、スタンプ情報の受信を確認すると（ステップＳ１１：ＹＥＳ）、そのスタンプ情報に関連付けられている振動パターン情報を取得する（ステップＳ１２）。そして、スタンプ情報表示部４２Ｅによってスタンプの表示がなされた後に（ステップＳ１３：ＹＥＳ）、タッチセンサ４４Ａに対してタッチ入力があることを確認し（ステップＳ１４：ＮＯ）、タッチ入力があった場合に（ステップＳ１４：ＹＥＳ）、取得した振動パターン情報によって振動モータ４７を駆動する（ステップＳ１５）。振動モータ４７の駆動は、振動パターン情報に含まれる継続時間だけ行われ、その継続時間が経過すると（ステップＳ１６：ＹＥＳ）、駆動を停止する。
【００３１】
この動作によると、図９に示すように、受け手の情報通信端末４の表示部４５にスタンプ情報の画像Ｓが表示され、その画像に対して指を触れることでタッチ入力がなされることに伴って、振動モータ４７が駆動され、タッチしたユーザの指に振動が伝えられる。
【００３２】
このような振動パターン情報伝送システム１によると、通信情報端末４の表示部４５に表示されるスタンプの画像Ｓに関連付けて振動パターンを適宜選択することができるので、スタンプの画像Ｓの視覚的な表現力に加えて、振動パターンによる振動刺激をユーザに与えることができる。これによって、スタンプの送り手の感情や心境をより能動的に受け手に伝達することが可能になり、スタンプの表現力を高めることができるので、インスタントメッセンジャーなどのメッセージ送受信ツールのコミュニケーションツールとしての機能をより向上させることができる。
【００３３】
また、受け手が例えば視覚障害などを有しており、視覚的にスタンプを識別しづらい場合、受け手は振動によってスタンプを識別することが出来るようになる。特に、ハプティクス（皮膚感覚フィードバック）を実現する装置として振動モータ４７が搭載されている場合、受け手は、フィードバックされた触覚によって、スタンプをより的確に識別できるようになる。
【００３４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３５】
１：振動パターン情報伝送システム，２：ネットワーク，
３：管理サーバ，４：通信情報端末，
３０，４０：通信バス，３１，４１：通信部，３２，４２：制御部，
３３，４３：情報格納部（メモリ），４４：入力部，４４Ａ：タッチセンサ，
４５：表示部，４６：音声出力部，４７：振動モータ，
４２Ａ：メッセージ情報生成部，４２Ｂ：スタンプ情報生成部，
４２Ｃ：振動パターン情報生成部，４４Ｄ：メッセージ情報表示部，
４２Ｅ：スタンプ情報表示部，４２Ｆ：振動モータ駆動部
【図１】
2018195068.tif 000003
【図２】
2018195068.tif 000004
【図３】
2018195068.tif 000005
【図４】
2018195068.tif 000006
【図５】
2018195068.tif 000007
【図６】
2018195068.tif 000008
【図７】
2018195068.tif 000009
【図８】
2018195068.tif 000010
【図９】
2018195068.tif 000011